(57)【特許請求の範囲】
【請求項１】
光源が実装された基板と、
前記基板が収容される収容空間が形成されたベース部材と、
前記収容空間の開口を覆うように前記ベース部材に取り付けられる装飾部材と、
を有する装飾ユニットを備え、
前記装飾部材は、
前記光源から出射された光で照らされる変形可能な材料で形成された本体部と、
前記本体部と一体化された前記基板側に向かって突出する突起であって、前記本体部よりも硬質の材料で形成された取付部と、
を有し、
前記取付部に接続された連結部材により前記ベース部材に取り付けられており、
前記ベース部材には、前記連結部材が外側から挿入される貫通孔が形成されており、
前記ベース部材は、その内面における前記貫通孔の周縁部分から前記本体部が接触する前記収容空間の開口の周縁部分までの高さが、前記本体部から突出する前記取付部の高さよりも大きくなるように形成されていることを特徴とする遊技機。
【発明の詳細な説明】
【技術分野】
【０００１】
本発明は、遊技領域を装飾する装飾ユニットを備えた遊技機に関する。
【背景技術】
【０００２】
下記特許文献１には、光源から出射された光を拡散させるパターン２０８、２０９を設けることで装飾効果を高めた表示部飾り部材１６１を備えた遊技機が記載されている。このような光学的装飾ユニットに対しては、装飾形状を種々の形状とすることができるといった汎用性の向上、組み付け性の向上等が求められる。
【先行技術文献】
【特許文献】
【０００３】
【特許文献１】特開２００２−１７９６４号公報
【発明の概要】
【発明が解決しようとする課題】
【０００４】
本発明が解決しようとする課題は、汎用性が高く、組み付けも容易である光学的装飾ユニットを備えた遊技機を提供することにある。
【課題を解決するための手段】
【０００５】
上記課題を解決するためになされた請求項１の発明にかかる遊技機は、光源が実装された基板と、前記基板が収容される収容空間が形成されたベース部材と、前記収容空間の開口を覆うように前記ベース部材に取り付けられる装飾部材と、を有する装飾ユニットを備え、前記装飾部材は、前記光源から出射された光で照らされる変形可能な材料で形成された本体部と、前記本体部と一体化された前記基板側に向かって突出する突起であって、前記本体部よりも硬質の材料で形成された取付部と、を有し、前記取付部に接続された連結部材により前記ベース部材に取り付けられており、前記ベース部材には、前記連結部材が外側から挿入される貫通孔が形成されており、前記ベース部材は、その内面における前記貫通孔の周縁部分から前記本体部が接触する前記収容空間の開口の周縁部分までの高さが、前記本体部から突出する前記取付部の高さよりも大きくなるように形成されていることを特徴とする。
【発明の効果】
【０００６】
請求項１に記載の発明では、光源から出射される光で照らされる装飾部材の本体部が変形可能な材料で形成されている。つまり、装飾機能を発現する装飾部材の本体部を種々の形状とすることができるため、装飾ユニットの汎用性を向上させることが可能である。また、装飾部材をベース部材に取り付けるための取付部は、本体部よりも硬質の材料で形成されているため、本体部が変形可能な材料で形成されていることによる、装飾部材とベース部材の組み付け性の低下、装飾部材とベース部材の接続強度の低下を抑制することが可能である。
【０００７】
また、ベース部材における貫通孔の周縁部分から収容空間の開口の周縁部分までの高さが、本体部から突出する取付部の高さよりも大きくなるように形成されているから、連結部材によって装飾部材とベース部材を組み付けると、当該高さの差分、装飾部材の本体部が変形し、ベース部材の開口の周縁部分に密着する。したがって、ベース部材の開口が本体部によって隙間なく覆われ、基板が収容された収容空間への塵等の進入を防止することが可能となる。
【図面の簡単な説明】
【０００８】
【図１】本発明の一実施形態にかかる遊技機の正面図である。
【図２】装飾部材側から見た装飾ユニットの分解斜視図である。
【図３】ベース部材側から見た装飾ユニットの分解斜視図である。
【図４】装飾ユニットの平面図である。
【図５】装飾ユニットの断面（図４におけるＡ−Ａ線断面に相当）を模式的に示した図であって、（ａ）はビス（連結部材）を締め込む前の状態を、（ｂ）は取付部の第一の部分と接触突起が接触するまでビス（連結部材）を締め込んだ状態（装飾ユニットが完成した状態）を示したものである。
【発明を実施するための形態】
【０００９】
以下、本発明にかかる実施形態について図面を参照して詳細に説明する。なお、以下の説明における平面方向とは遊技盤９０の平面方向に沿う（平行な）方向を、前後方向とは遊技盤９０の平面方向に直交する方向（遊技者側を前、その反対側を後とする）をいうものとする。
【００１０】
まず、図１を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１１】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００１２】
本実施形態にかかる遊技機１では、遊技領域９０２を装飾する装飾ユニット１ｕが設けられている。本実施形態における装飾ユニット１ｕは、遊技盤９０の開口９０１の左側縁に沿うように設けられている。当該装飾ユニット１ｕの構成および作用の詳細については後述する。
【００１３】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１４】
このような遊技機１では、発射装置を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００１５】
以下、図２〜図５を参照して遊技領域９０２を装飾する装飾ユニット１ｕの構成について説明する。本実施形態における装飾ユニット１ｕは、基板１０、ベース部材２０、および装飾部材３０を備える。
【００１６】
基板１０には、複数の光源１１が実装されている（図２および図４等参照）。光源１１は、後方から装飾部材３０の本体部３１を照らす光を出射するものである。本実施形態では、白色光を発光するＬＥＤを光源１１として用いている。各光源１１は、基板１０に形成された回路を介して、図示されない演出制御基板（演出を制御する基板）によって制御される。基板１０には、ベース部材２０に対し位置決めするために用いられる貫通孔や窪み（以下、位置決め部１２と称する）が複数形成されている（図２および図３等参照）。
【００１７】
ベース部材２０は、装飾ユニット１ｕのベースとなる部品であって、基板１０および装飾部材３０を支持するための部材である。ベース部材２０は、周縁に前方に向かって突出した周壁２１が形成された平板状に形成されている（図２等参照）。ベース部材２０の平面形状は、装飾部材３０の形状に合わせた形状（本実施形態では弓のように湾曲した帯形状（図４等参照））である。周縁の内側の空間は、光源１１が実装された基板１０が収容される収容空間２２である。
【００１８】
ベース部材２０には、前後方向に延びる貫通孔である複数のビス挿通孔２３（本発明における貫通孔に相当する）が形成されている（図３等参照）。このビス挿通孔２３に、ベース部材２０に装飾部材３０を取り付けるためのビス４０（本発明における連結部材に相当する）が挿通される（図５等参照）。本実施形態では、収容空間２２の四隅および長さ方向の略中央にビス挿通孔２３（計六つ）が形成されている。各ビス挿通孔２３の周囲には、収容空間２２側に向かって突出する接触突起２４が形成されている（図２等参照）。接触突起２４は、基板１０が載置される収容空間２２の内底面である基板載置面２２１よりも前方に向かって突出している。円筒状の接触突起２４の内径は、ビス挿通孔２３の径よりも大きい。つまり、各接触突起２４の内側の底面中央に、貫通孔であるビス挿通孔２３が形成されている態様となる（図５等参照）。また、本実施形態では、各接触突起２４の内側の底面（ビス挿通孔２３の周縁部分２４１）は、基板載置面２２１よりも低くなっている（後方に位置する）（図５等参照）。
【００１９】
また、ベース部材２０には、基板１０を位置決めするための位置決め突起２５が形成されている（図２等参照）。本実施形態におけるベース部材２０には、二つの位置決め突起２５が形成されている。
【００２０】
装飾部材３０は、本体部３１および取付部３２を有する。本体部３１は、表面に装飾が施された部材であって、装飾ユニット１ｕによる装飾機能を発揮する箇所である。本体部３１は、その少なくとも一部に光を透過する部分（光透過部分３１１）を有する（図２および図３等参照）。光源１１から出射された光は、この光透過部分３１１を通過することになる。光透過部分３１１は、光を屈折させるためレンズ形状としたり、光を拡散させるため凹凸が施された形状としたりすることができる。また、本体部３１における光透過部分３１１以外の箇所には、装飾が適宜施されているとよい。この本体部３１は、変形（弾性変形）可能な材料で形成されている。本実施形態では、可塑剤が添加されることにより軟らかくされたポリ塩化ビニルを主成分とする材料によって形成されている。
【００２１】
本実施形態における本体部３１の外縁は、ベース部材２０の外縁と略同じかまたはそれよりも大きい形状である。したがって、本体部３１とベース部材２０を両者の外縁が一致するように密着させると、本体部３１はベース部材２０の周壁２１（周壁２１の先端面）に接触する。つまり、本体部３１はベース部材２０に形成された収容空間２２内に入り込むことはできない。
【００２２】
取付部３２は、基板１０の裏面（装飾が施された面の反対側の面）から突出した突起である。装飾ユニット１ｕ全体でみれば、基板１０およびベース部材２０側に向かって突出する突起であるということができる。取付部３２は、本体部３１よりも硬質の材料（硬質樹脂材料）で形成されている。装飾部材３０（本体部３１と取付部３２）は、一体成形によって構築されていてもよいし、別々に成形した後、熱融着等によって接合することによって構築されていてもよい。
【００２３】
取付部３２は、相対的に大径の円柱状部分である第一の部分３２１と、相対的に（第一の部分３２１よりも）小径の円柱状部分である第二の部分３２２とを有する（図２および図３等参照）。第一の部分３２１は基端側（根元側）に位置し、第二の部分３２２は先端側に位置する。つまり、本実施形態における取付部３２は、先端側が基端側より細い、段差のある円柱形状の突起である。取付部３２の第二の部分３２２は、上述した接触突起２４の内側に形成される円柱形状の空間に入り込むことが可能、かつ、ビス挿通孔２３を通過することが不可能な形状（大きさ）に形成されている。取付部３２の第一の部分３２１は、接触突起２４の内側に形成される円柱形状の空間に入り込むことが不可能な形状（大きさ）に形成されている（図４等参照）。
【００２４】
後述するように、取付部３２はビスが締結される部分である。したがって、取付部３２には、その先端から所定長さのねじ穴３２３が形成される（図３および図５等参照）。つまり、少なくとも第二の部分３２２の先端から一部にはねじ穴３２３が形成される。ねじ穴３２３は、装飾部材３０形成時に予め形成しておいてもよいし、ビス４０によって形成される（ビス４０としていわゆるタッピングビスを用いる）構成としてもよい。
【００２５】
取付部３２（第一の部分３２１および第二の部分３２２）の高さは、次のように設定されている。第一の部分３２１と第二の部分３２２を含めた取付部３２全体の高さ（本体部３１裏面から取付部３２の先端面までの高さ）Ｈａは、ベース部材２０の内面におけるビス挿通孔２３の周縁部分２４１から周壁２１の先端面（本体部３１が接触する収容空間２２の開口の周縁部分）までの高さＨｂよりも低く（Ｈａ＜Ｈｂ）なるように設定されている。また、第一の部分３２１の高さ（本体部３１裏面から第一の部分３２１と第二の部分３２２の境界までの高さ）Ｈ１は、ベース部材２０の接触突起２４から周壁２１の先端面（本体部３１が接触する収容空間２２の開口の周縁部分）までの高さＨ２よりも低く（Ｈ１＜Ｈ２）なるように設定されている。かかる寸法関係とすることによる作用については後述する。
【００２６】
本実施形態における装飾部材３０には、押さえ部３３が設けられている（図２および図３等参照）。押さえ部３３は、本体部３１の裏面から突出した突起である。装飾ユニット１ｕ全体でみれば、基板１０およびベース部材２０側に向かって突出する突起であるということができる。押さえ部３３は、取付部３２と同様に本体部３１よりも硬質の材料（硬質樹脂材料）で形成されている。
【００２７】
以上のような各部材を備える装飾ユニット１ｕは、以下のように組み付けられる。まず、ベース部材２０の収容空間２２内に、光源１１が実装された基板１０を収容する。上述したように、基板１０には、貫通孔や凹部である複数の位置決め部１２が形成されているため、当該位置決め部１２を利用してベース部材２０に対して位置決めする。本実施形態におけるベース部材２０では、位置決め突起２５だけでなく、接触突起２４も位置決め要素として機能する。つまり、接触突起２４は、基板１０が載置される収容空間２２の内底面である基板載置面２２１よりも前方に向かって突出しているから、ベース部材２０の四隅および長さ方向の略中央に設けられた各接触突起２４に対し、基板１０に形成された凹部である位置決め部１２を係合させる。これとともに、貫通孔である位置決め部１２を位置決め突起２５に係合させることにより、ベース部材２０に対し基板１０が位置決めされ、基板１０が収容空間２２内に収容された状態（基板載置面２２１上に載置された状態）となる。
【００２８】
なお、ベース部材２０には、配線等を外部に引き出す貫通孔等が形成されていてもよい。その場合には、ベース部材２０に対し基板１０を位置決めするとともに、当該配線等を外部に引き出しておく。
【００２９】
その後、ベース部材２０に対し装飾部材３０を位置決めする。具体的には、装飾部材３０の本体部３１をベース部材２０における収容空間２２の開口の周縁部分（周壁２１の先端面）に密接させるとともに、装飾部材３０の取付部３２の第二の部分３２２を接触突起２４の内側に形成される円柱形状の空間内に挿入した状態（図５（ａ）に示す状態）とする。上述したように、第一の部分３２１と第二の部分３２２を含めた取付部３２全体の高さＨａは、ベース部材２０の内面におけるビス挿通孔２３の周縁部分２４１から周壁２１の先端面までの高さＨｂよりも低くなるように設定されているから、第二の部分３２２の先端面とビス挿通孔２３の周縁部分２４１の間には隙間Ｓ(ａ-ｂ)が存在する。また、第一の部分３２１の高さＨ１は、ベース部材２０の接触突起２４から周壁２１の先端面までの高さＨ２よりも低くなるように設定されているから、取付部３２の第一の部分３２１と接触突起２４の先端面との間には隙間Ｓ(1−2)が存在する。本実施形態では、隙間Ｓ(ａ-ｂ)の方が隙間Ｓ(1−2)よりも大きくなるように各部の寸法が設定されている。
【００３０】
この後、ベース部材２０に形成されたビス挿通孔２３にビス４０を通し、当該ビス４０を装飾部材３０の取付部３２に形成されたねじ穴３２３に締結させる。ビス４０を締めこんでいくと、第一の部分３２１と第二の部分３２２を含めた取付部３２全体の高さＨａがベース部材２０の内面におけるビス挿通孔２３の周縁部分２４１から周壁２１の先端面までの高さＨｂよりも低くなるように設定されているから、装飾部材３０がベース部材２０側（収容空間２２の底面側）に引っ張られていく。つまり、ビス４０が締結されることによってねじ穴３２３が形成された取付部３２が引っ張られるとともに、取付部３２と一体化された本体部３１が引っ張られる。装飾部材３０の本体部３１は、変形可能な材料で形成されているから、本体部３１がベース部材２０の周縁に引っ掛かって変形し、当該周縁に密着する。
【００３１】
本実施形態では、隙間Ｓ(ａ-ｂ)の方が隙間Ｓ(1−2)よりも大きく設定されているから、ビス４０を締めこんでいくと取付部３２の第一の部分３２１と接触突起２４の先端面が接触し、それ以上装飾部材３０がベース部材２０側に移動することができなくなる。つまり、取付部３２の先端（第二の部分３２２の先端）とベース部材２０の内面におけるビス挿通孔２３の周縁部分２４１が接触する前に、取付部３２の第一の部分３２１と接触突起２４の先端面が接触することにより、ビス４０の締め込みによる本体部３１の変形が止まる（図５（ｂ）に示す状態となる）。これにより、装飾ユニット１ｕが完成する。このように、本実施形態では、ビス４０を締めこみ過ぎてしまわないように、ベース部材２０に接触突起２４を形成するとともに、取付部３２を段差のある軸状に形成している。なお、ベース部材２０に対し装飾部材３０を位置決めした時点（図５（ａ）に示した状態）において、隙間Ｓ(1−2)が存在しないように設定してもよい。つまり、ビス４０を締めこんでいくことで、取付部３２の第一の部分３２１または接触突起２４の少なくともいずれか一方が変形し、その変形にともなう反作用力によってビス４０の締め込み量が規制されるようにしてもよい。
【００３２】
このように、ビス４０を締めこんでいくと、装飾部材３０の本体部３１がベース部材２０側に移動する。これにより、本体部３１と一体的に設けられた突起である押さえ部３３が下方に移動する。下方に移動した押さえ部３３は、基板１０表面に接触し、押し付けられる（図５（ｂ）参照）。つまり、本体部３１の変形によって押さえ部３３が基板１０に押し付けられた状態となる。押さえ部３３の高さ（装飾部材３０の本体部３１の裏面からの突出高さ）は、光源１１の高さ（基板１０の表面からの突出高さ）よりも高い。そのため、ビス４０を締めこんでいったときに、押さえ部３３が基板１０の表面に接触する前に、光源１１が装飾部材３０の本体部３１の裏面に接触することはない（押さえ部３３を基板１０の表面に接触させることが可能となる）。なお、ビス４０締め付け前の状態において、押さえ部３３と基板１０は図５（ａ）に示すように非接触であってもよいし、（軽く）接触していてもよい。押さえ部３３による押圧力を高めるのであれば、ビス４０締め付け前の状態において押さえ部３３と基板１０が軽く接触しているとよい。
【００３３】
以上説明した本実施形態にかかる遊技機１（が備える装飾ユニット１ｕ）によれば、次のような作用効果が奏される。
【００３４】
本実施形態における装飾ユニット１ｕでは、光源１１から出射される光で照らされる装飾部材３０の本体部３１が変形可能な材料で形成されている。つまり、装飾機能を発現する装飾部材３０の本体部３１を種々の形状とすることができるため、装飾ユニット１ｕの汎用性を向上させることが可能である。例えば、装飾面（本体部３１の前面）が湾曲した三次元的な形状とすることも可能である。また、装飾部材３０をベース部材２０に取り付けるための取付部３２は、本体部３１よりも硬質の材料で形成されているため、本体部３１が変形可能な材料で形成されていることによる、装飾部材３０とベース部材２０の組み付け性の低下、装飾部材３０とベース部材２０の接続強度の低下を抑制することが可能である。
【００３５】
また、ベース部材２０におけるビス挿通孔２３の周縁部分２４１から収容空間２２の開口の周縁部分（周壁２１の先端面）までの高さＨｂが、本体部３１から突出する取付部３２の高さＨａよりも大きくなるように形成されているから、ビス４０によって装飾部材３０とベース部材２０を組み付けると、当該高さの差分、装飾部材３０の本体部３１が変形し、ベース部材２０の開口の周縁部分（周壁２１の先端面）に密着する。したがって、ベース部材２０の開口が本体部３１によって隙間なく覆われ、基板１０が収容された収容空間２２への塵等の進入を防止することが可能となる。このように、本体部３１とベース部材２０の開口の周縁部分（周壁２１の先端面）が密着するため、両者を接着剤等で接合するといった作業を省略することができ、接着等が不要になる分、装飾ユニット１ｕの厚みを抑えることが可能である。
【００３６】
また、上述した隙間Ｓ(ａ-ｂ)の方が隙間Ｓ(1−2)よりも大きく設定されているから、ビス４０によって装飾部材３０とベース部材２０を組み付ける際に、装飾部材３０の本体部３１が変形する量は、第一の部分３２１と接触突起２４が接触するまでとなる。つまり、装飾部材３０とベース部材２０を組み付ける際に、装飾部材３０の本体部３１が変形しすぎてしまうのを防止することが可能となる。
【００３７】
また、本体部３１よりも硬質の材料で形成された基板１０表面に接触する押さえ部３３が設けられた構成とすれば、装飾部材３０と基板１０が収容されたベース部材２０を組み付けると、基板１０側に変形する本体部３１によって押え部が基板１０表面に押し付けられる。つまり、変形する本体部３１を利用して、基板１０の位置ずれ防止効果を高めることが可能である。上述したように、本実施形態では、押さえ部３３の高さは、光源１１の高さよりも高いから、ビス４０を締めこんでいったときに、押さえ部３３が基板１０の表面に接触する前に、光源１１が装飾部材３０の本体部３１の裏面に接触することはない。
【００３８】
以上、本発明の実施の形態について詳細に説明したが、本発明は上記実施の形態に何ら限定されるものではなく、本発明の要旨を逸脱しない範囲で種々の改変が可能である。
【符号の説明】
【００３９】
１  遊技機
１ｕ  装飾ユニット
１０  基板
１１  光源
２０  ベース部材
２１  周壁
２２  収容空間
２４  接触突起
３０  装飾部材
３１  本体部
３１１  光透過部分
３２  取付部
３２１  第一の部分
３２２  第二の部分
３３  押さえ部
４０  ビス（連結部材）
【図１】
0006021205.tif 000002
【図２】
0006021205.tif 000003
【図３】
0006021205.tif 000004
【図４】
0006021205.tif 000005
【図５】
0006021205.tif 000006